【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
特定のディジタル・コンテンツを含む信号を受信する入力手段と、
前記特定のディジタル・コンテンツと信号受信装置に割り当てられたディジタル・キーを記憶する記憶手段と、
暗号化されたディジタル・データを発生するために、前記ディジタル・キーを使用して前記特定のディジタル・コンテンツを暗号化する暗号化手段と、
前記暗号化ディジタル・データを記録装置に出力する出力手段と、から成る、前記信号受信装置。
【請求項２】
前記暗号化されたディジタル・データは、異なるディジタル・キーを割り当てられた他の信号受信装置で復号化できない、請求項１記載の信号受信装置。
【請求項３】
前記入力手段は、前記ディジタル・キーを信号源から受信する、請求項１記載の信号受信装置。
【請求項４】
前記ディジタル・キーが、製造の間、前記記憶手段の中にプログラムされる、請求項１記載の信号受信装置。
【請求項５】
前記ディジタル・データ記録装置が、ディジタル・シリアル・バスを介し、前記信号受信装置に接続される、請求項１記載の信号受信装置。
【請求項６】
前記信号受信装置は、利用者がディジタル・キーを変更するためのユーザ・インタフェースを含んでいない、請求項１記載の信号受信装置。
【請求項７】
信号受信装置および記録装置を使用してディジタル記録をイネーブルする方法であって、
前記信号受信装置が、
特定のディジタル・コンテンツと前記信号受信装置に割り当てられたディジタル・キーを受信するステップと、
前記特定のディジタル・コンテンツを含む信号を受信するステップと、
暗号化されたディジタル・データを発生するために、前記ディジタル・キーを使用して前記特定のディジタル・コンテンツを暗号化するステップと、
前記暗号化されたディジタル・データを前記記録装置に供給するステップと、
から成るステップを遂行する、前記ディジタル記録をイネーブルする方法。
【請求項８】
前記記録装置が、
前記暗号化されたディジタル・データを前記信号受信装置から受信するステップと、
前記暗号化されたディジタル・データをメモリに記録するステップと、
前記暗号化されたディジタル・データをメモリから検索するステップと、
前記暗号化されたディジタル・データを前記信号受信装置に供給するステップと、
を実行する、請求項７記載のディジタル記録をイネーブルする方法。
【請求項９】
前記暗号化されたディジタル・データが、異なるディジタル・キーを割り当てられた他の信号受信装置で復号化できない、請求項７記載のディジタル記録をイネーブルする方法。
【請求項１０】
前記信号受信装置が、前記ディジタル・キーを信号源から受信する、請求項７に記載のディジタル記録をイネーブルする方法。
【請求項１１】
前記ディジタル・キーが、製造の間、前記信号受信装置の記録装置の中にプログラムされる、請求項７記載のディジタル記録をイネーブルする方法。
【請求項１２】
前記信号受信装置と前記記録装置が１つの装置の中に統合される、請求項７記載のディジタル記録をイネーブルする方法。
【請求項１３】
前記信号受信装置が、前記記録装置に外部で接続される、請求項７記載のディジタル記録をイネーブルする方法。
【請求項１４】
前記信号受信装置が、ディジタル・シリアル・バスを介し、前記記録装置に接続される、請求項１３記載のディジタル記録をイネーブルする方法。
【請求項１５】
前記信号受信装置は、利用者がディジタル・キーを変更するためのユーザ・インタフェースを含んでいない、請求項７記載のディジタル記録をイネーブルする方法。
【請求項１６】
暗号化されたディジタル・データを外部に接続された装置から受信する入力端子と、
特定のディジタル・コンテンツに対応する前記暗号化されたディジタル・データを記録するメモリと、から成る、ディジタル・データ記録装置であって、
前記外部に接続された装置を含む特定の住宅に関連する１つまたは複数の装置および前記特定のディジタル・コンテンツに割り当てられたディジタル・キーを使用して、前記暗号化されたディジタル・データが前記外部に接続された装置により暗号化される、前記ディジタル・データ記録装置。
【請求項１７】
前記暗号化されたディジタル・データは、異なるディジタル・キーを割り当てられた他の装置で復号化できない、請求項１６記載のディジタル記録装置。
【請求項１８】
前記１つまたは複数の装置が前記ディジタル・キーを信号源から受信する、請求項１６記載のディジタル記録装置。
【請求項１９】
前記ディジタル・キーが、製造の間に、前記１つまたは複数の装置の中にプログラムされる、請求項１６記載のディジタル記録装置。
【請求項２０】
前記外部に接続された装置が、ディジタル・シリアル・バスを介して、前記ディジタル記録装置に接続される、請求項１６記載のディジタル記録装置。
【手続補正２】
【補正対象書類名】明細書
【補正対象項目名】０００９
【補正方法】変更
【補正の内容】
【０００９】
本明細書中で述べる実施例は、本発明の好ましい実施例であるが、このような実施例は、本発明の範囲を制限するものと解釈すべきではない。図面全体にわたり、同様な参照番号は、同一または類似の要素を表す。
なお、特許請求の範囲と実施例との対応関係を図面で使われている参照番号で示すと次の通りである。
１．  特定のディジタル・コンテンツを含む信号を受信する入力手段（１２、２２）と、
前記特定のディジタル・コンテンツと信号受信装置（１０、２０）に割り当てられたディジタル・キーを記憶する記憶手段（１４、２４）と、
暗号化されたディジタル・データを発生するために、前記ディジタル・キーを使用して前記特定のディジタル・コンテンツを暗号化する暗号化手段（１６、２６）と、
前記暗号化ディジタル・データを記録装置（３０）に出力する出力手段（１８、２８）と、から成る、前記信号受信装置（１０、２０）。
２．  前記暗号化されたディジタル・データは、異なるディジタル・キーを割り当てられた他の信号受信装置で復号化できない、請求項１記載の信号受信装置（１０、２０）。
３．  前記入力手段（１２、２２）は、前記ディジタル・キーを信号源から受信する、請求項１記載の信号受信装置（１０、２０）。
４．  前記ディジタル・キーが、製造の間、前記記憶手段（１４、２４）の中にプログラムされる、請求項１記載の信号受信装置（１０、２０）。
５．  前記ディジタル・データ記録装置（３０）が、ディジタル・シリアル・バスを介し、前記信号受信装置（１０、２０）に接続される、請求項１記載の信号受信装置（１０、２０）。
６．  前記信号受信装置は、利用者がディジタル・キーを変更するためのユーザ・インタフェースを含んでいない、請求項１記載の信号受信装置（１０、２０）。
７．  信号受信装置および記録装置を使用してディジタル記録をイネーブルする方法（４００／５００）であって、
前記信号受信装置が、
特定のディジタル・コンテンツと前記信号受信装置に割り当てられたディジタル・キーを受信するステップ（４１０）と、
前記特定のディジタル・コンテンツを含む信号を受信するステップ（４２０）と、  
暗号化されたディジタル・データを発生するために、前記ディジタル・キーを使用して前記特定のディジタル・コンテンツを暗号化するステップ（４３０）と、
前記暗号化されたディジタル・データを前記記録装置に供給するステップ（４４０）と、
から成るステップを遂行する、前記ディジタル記録をイネーブルする方法（４００／５００）。
８．  前記記録装置（３０）が、
前記暗号化されたディジタル・データを前記信号受信装置から受信するステップ（５１０）と、
前記暗号化されたディジタル・データをメモリに記録するステップ（５２０）と、
前記暗号化されたディジタル・データをメモリから検索するステップ（５３０）と、
前記暗号化されたディジタル・データを前記信号受信装置に供給するステップ（５４０）と、
を実行する、請求項７記載のディジタル記録をイネーブルする方法（４００／５００）。
９．  前記暗号化されたディジタル・データが、異なるディジタル・キーを割り当てられた他の信号受信装置で復号化できない、請求項７記載のディジタル記録をイネーブルする方法（４００／５００）。
１０．  前記信号受信装置が、前記ディジタル・キーを信号源から受信する、請求項７に記載のディジタル記録をイネーブルする方法（４００／５００）。
１１．  前記ディジタル・キーが、製造の間、前記信号受信装置の記録装置の中にプログラムされる、請求項７記載のディジタル記録をイネーブルする方法（４００／５００）。
１２．  前記信号受信装置と前記記録装置が１つの装置の中に統合される、請求項７記載のディジタル記録をイネーブルする方法（４００／５００）。
１３．  前記信号受信装置が、前記記録装置に外部で接続される、請求項７記載のディジタル記録をイネーブルする方法（４００／５００）。
１４．  前記信号受信装置が、ディジタル・シリアル・バスを介し、前記記録装置に接続される、請求項１３記載のディジタル記録をイネーブルする方法（４００／５００）。
１５．  前記信号受信装置は、利用者がディジタル・キーを変更するためのユーザ・インタフェースを含んでいない、請求項７記載のディジタル記録をイネーブルする方法（４００／５００）。
１６．  暗号化されたディジタル・データを外部に接続された装置（１０、２０）から受信する入力端子（３２）と、
特定のディジタル・コンテンツに対応する前記暗号化されたディジタル・データを記録するメモリ（３４）と、から成る、ディジタル・データ記録装置（３０）であって、
前記外部に接続された装置（１０、２０）を含む特定の住宅に関連する１つまたは複数の装置および前記特定のディジタル・コンテンツに割り当てられたディジタル・キーを使用して、前記暗号化されたディジタル・データが前記外部に接続された装置（１０、２０）により暗号化される、前記ディジタル・データ記録装置（３０）。
１７．  前記暗号化されたディジタル・データは、異なるディジタル・キーを割り当てられた他の装置で復号化できない、請求項１６記載のディジタル記録装置（３０）。
１８．  前記１つまたは複数の装置が前記ディジタル・キーを信号源から受信する、請求項１６記載のディジタル記録装置（３０）。
１９．  前記ディジタル・キーが、製造の間に、前記１つまたは複数の装置の中にプログラムされる、請求項１６記載のディジタル記録装置（３０）。
２０．  前記外部に接続された装置が、ディジタル・シリアル・バスを介して、前記ディジタル記録装置（３０）に接続される、請求項１６記載のディジタル記録装置（３０）。